(57)【特許請求の範囲】
【請求項１】
軽量鉄骨の天井に用いられ、横方向を長手方向として内壁に取り付けられる天井用ランナーであって、
鉛直断面において、横方向に延伸する下辺部と、この下辺部から上方へ延伸する側辺部と、この側辺部の上端から連続し、横方向に突出して野縁の長手方向の端部上面を係止する屈曲加工部と、を備え、
前記屈曲加工部は、野縁の長手方向端部が当接する部分が前記側辺部の上端に長手方向に沿って連続する円筒状に曲面加工されていること
を特徴とする天井用ランナー。
【請求項２】
前記下辺部及び／又は前記側辺部は、剛性を高めるため、エンボス加工されていること
を特徴とする請求項１に記載の天井用ランナー。
【請求項３】
請求項１又は２に記載の天井用ランナーが用いられていること
を特徴とする軽量鉄骨天井構造。
【発明の詳細な説明】
【技術分野】
【０００１】
本発明は、軽量鉄骨の天井に用いられ、横方向を長手方向として内壁に取り付けられる天井用ランナー及びそれを用いた軽量鉄骨天井構造に関し、より詳細には、上辺部を無くすとともに側辺部上端の形状を工夫することにより剛性を高め、野縁の長手方向の端部を係止して天井材をビス止めする際の反力を得ることのできる天井用ランナー及びそれを用いた軽量鉄骨天井構造に関する。
【背景技術】
【０００２】
従来、住宅やオフィスビルなどの天井構造としては、軽量鉄骨（ＬＧＳ：Light gauge steel）などからなる下地材に石膏ボードを貼り付け、ビス止めする軽量鉄骨の天井構造が知られている。
【０００３】
この種の軽量鉄骨天井構造は、一般には、図１０に示すように、上階の床スラブや屋根などの支持材から吊り下がる吊りボルトに、野縁受けであるＣ形チャンネルがハンガーにより取り付けられ、このＣ形チャンネルに、野縁であるシングルバーやダブルバーがクリップ（図示せず）で掛け止められ、これらの野縁に、石膏ボードなどの天井ボード（図示せず）がビス止めされた構造となっている。
【０００４】
しかしながら、天井スパンが比較的短い場合や壁際の天井ボードの固定を強化したい場合などは、一般に壁用の軽量鉄骨下地として用いられるランナーが内壁の側面に止め付けられ、内壁に止め付けられたランナー間に、角スタッドやダブルバーなどの野縁が嵌め込まれ、これらの野縁に天井ボードがビス止めされた、いわゆるブリッジ工法やＴ字工法による軽量鉄骨天井構造も知られている。
【０００５】
例えば、特許文献１には、野縁２の両端部が、内壁に取り付けたランナー７で支持されるとともに、野縁２の中間部が、Ｃ形チャンネル（野縁受け３）やハンガーを介して、上階の床スラブなどから垂下する吊りボルト（吊り金具５）に支持された、いわゆるＴ字工法による軽量鉄骨天井構造及び一般的な従来のランナー７が開示されている（特許文献１の図面の図１等参照）。
【０００６】
しかし、特許文献１に記載の従来のランナー７は、元来、スタッドを嵌め込む汎用品の壁用ランナーを天井構造に転用したものであり、スタッド等を嵌め込んだ際に左右にガタ付かないように断面コの字状の開口端が基端側より狭まっている。このため、軽量鉄骨天井を組み立てる際に、野縁や野縁受けを差し込むのが困難で、作業性が悪いという問題があった。
【０００７】
また、特許文献２には、空調ダクトや電気配線ラックなどが障害となって内壁際に吊りボルト（ボルト５０）が設置できない場合、壁際のＣ形チャンネル（野縁受け４０）端部を固定するとともに、壁際に設置される野縁を兼用するランナ野縁１０及びそのランナ野縁１０を用いた軽量鉄骨天井構造が開示されている（特許文献２の図面の図１等参照）。
【０００８】
しかし、特許文献２に記載のランナ野縁１０は、形状が複雑で加工費等で単価が高くなるとともに、ランナ野縁１０を壁にビス止めしたうえ、ビス止めしたランナ野縁１０に野縁受け４０を差し込んで、その野縁受け４０を吊りボルト５０ごとに高さ調整してハンガー（受け金具５１）で固定しなければならず、作業性が良くないという問題があった。
【０００９】
また、前述のような従来のランナーに対する単価削減要請も強く、鋼材使用量（鋼材重量）を低減してコストパフォーマンスの高いランナーの開発も切望されていた。
【先行技術文献】
【特許文献】
【００１０】
【特許文献１】特開２００２−２７６０６８号公報
【特許文献２】特開２０１２−１３６８３３号公報
【発明の概要】
【発明が解決しようとする課題】
【００１１】
そこで、本発明は、上述した問題点に鑑みて案出されたものであり、その目的とするところは、天井用ランナーの機能を確保しつつ施工性を向上させるとともに、重量を低減してコストパフォーマンスの高い天井用ランナー及びそれを用いた軽量鉄骨天井構造を提供することにある。
【課題を解決するための手段】
【００１２】
第１発明に係る天井用ランナーは、軽量鉄骨の天井に用いられ、横方向を長手方向として内壁に取り付けられる天井用ランナーであって、鉛直断面において、横方向に延伸する下辺部と、この下辺部から上方へ延伸する側辺部と、この側辺部の上端から連続し、横方向に突出して野縁の長手方向の端部上面を係止する屈曲加工部と、を備え、前記屈曲加工部は、野縁の長手方向端部が当接する部分が前記側辺部の上端に長手方向に沿って連続する円筒状に曲面加工されていることを特徴とする。
【００１５】
第２発明に係る天井用ランナーは、第１発明に係る天井用ランナーにおいて、前記下辺部及び／又は前記側辺部は、剛性を高めるため、エンボス加工されていることを特徴とする。
【００１６】
第３発明に係る軽量鉄骨天井構造は、請求項１又は２に記載の天井用ランナーが用いられていることを特徴とする。
【発明の効果】
【００１７】
第１発明〜第３発明によれば、天井用ランナーの上辺部を廃し、側辺部の上端から連続し、横方向に突出する屈曲加工部を設けたので、ビス止め等、従来機能上固定することのない上辺部を無くして全体重量を低減することができるとともに、屈曲加工部によりランナー全体の剛性低下を防いで、野縁に天井ボードをビス止めする際の適切な反力を得ることができる。このため、第１発明〜第３発明によれば、軽量鉄骨からなる天井の組立作業の作業効率を向上させることができるとともに、従来の上辺部を廃することで重量低減による部材コストの低廉化を実現することができコストパフォーマンスが向上する。
【００１８】
また、第１発明〜第３発明によれば、屈曲加工部の野縁の長手方向端部が当接する部分が長手方向に沿って連続的に曲面状又は円筒状に加工されているので、野縁を当該天井用ランナーに差し込むのが容易であり、軽量鉄骨天井の組立作業の作業性が向上する。また、第１発明〜第３発明によれば、屈曲加工部を曲面、又は円筒状に加工することにより天井用ランナーの剛性を確保することができるとともに、重量低減によるコスト削減を図ることができる。
【００１９】
特に、第２発明によれば、同重量のまま、さらにランナー全体の剛性を高めることができ、長尺なランナーを壁に止め付ける際の作業性が向上する。
【００２０】
特に、第３発明によれば、前記作用効果を軽量鉄骨天井構造において発揮することができ、軽量鉄骨天井構造全体の組立作業性及びコストパフォーマンスが向上する。
【図面の簡単な説明】
【００２１】
【図１】本発明の第１実施形態に係る天井用ランナーを長手方向の中間を省略した状態で示す斜視図である。
【図２】同上の天井用ランナーを長手方向と直交する鉛直断面で切断した状態で示す断面図である。
【図３】本発明の第１実施形態に係る軽量鉄骨構造を中間省略して内壁付近の構造を主に示す鉛直断面図である。
【図４】本発明の第２実施形態に係る天井用ランナーを長手方向の中間を省略した状態で示す斜視図である。
【図５】同上の天井用ランナーを長手方向と直交する鉛直断面で切断した状態で示す断面図である。
【図６】本発明の第３実施形態に係る天井用ランナーを長手方向の中間を省略した状態で示す斜視図である。
【図７】同上の天井用ランナーを長手方向と直交する鉛直断面で切断した状態で示す断面図である。
【図８】本発明の第４実施形態に係る天井用ランナーを長手方向の中間を省略した状態で示す斜視図である。
【図９】同上の天井用ランナーを長手方向と直交する鉛直断面で切断した状態で示す断面図である。
【図１０】従来の軽量鉄骨天井構造を示す見上げ斜視図である。
【発明を実施するための形態】
【００２２】
以下、本発明の一実施形態について、図面を参照しながら詳細に説明する。
【００２３】
[第１実施形態]
＜天井用ランナー＞
先ず、図１、図２を用いて、本発明の一実施形態である第１実施形態に係る天井用ランナーについて、天井用ランナーを用いていわゆるブリッジ工法により軽量鉄骨天井を組み立てる場合で説明する。図１、図２に示すように、第１実施形態に係る天井用ランナーであるランナーＲ１は、薄鋼板から所定形状に加工された長尺材であり、内壁の壁面（側面）に沿って長手方向を水平にしてビスや釘等で固定され、一点鎖線で示す後述の野縁Ｎ１の一端をスライド可能に内包し、その野縁Ｎ１の一端を上下方向に拘束して壁に固定する機能を有した部材である。なお、図中のＸ方向が、ランナーＲ１の長手方向（軸方向）、Ｙ方向が、ランナーＲ１の奥行方向、Ｚ方向が、上下方向を示している（全図とも共通）。
【００２４】
本実施形態に係るランナーＲ１の材質は、耐食性を考量して亜鉛溶融めっき鋼板からなるが、めっきされていない通常の鋼板から構成されていても構わない。勿論、ランナーＲ１を構成する薄鋼板自体が、耐候性鋼やステンレス鋼であっても良い。
【００２５】
このランナーＲ１の形状は、鉛直断面において、横方向に延伸する平板状の下辺部Ｒ１１と、この下辺部Ｒ１１の長手方向に沿って連続し、そこから上方へ延伸する平板状の側辺部Ｒ１２と、この側辺部Ｒ１２の上端と長手方向に沿って連続し、そこから下辺部Ｒ１１と所定間隔を置いて横方向へ突出する屈曲加工部Ｒ１３と、を備えており、この屈曲加工部Ｒ１３が、長手方向に沿って連続的に円筒状にロール加工により曲面加工されていることを特徴としている。
【００２６】
この屈曲加工部Ｒ１３の円筒状の形状は、側辺部Ｒ１２の上端部分の曲げ剛性を補って、ランナー全体の剛性を高めるとともに、ランナーＲ１に差し込まれる野縁Ｎ１の長手方向の端部を係止する機能を有している。また、下辺部Ｒ１１と、屈曲加工部Ｒ１３との離間距離は、野縁Ｎ１の長手方向の端部の高さに所定の遊び間隔を加えた距離となっている。
【００２７】
このように構成されたランナーＲ１によれば、従来の上辺部を廃して側辺部Ｒ１２の上端と連続する屈曲加工部Ｒ１３が円筒状となっているので、剛性を確保したまま、狭くて野縁を差し入れるのが困難であった断面コの字状の開口端を形成する屈曲加工部Ｒ１３を従来の上辺部と比べて極力短くして、ランナー全体の重量を低減することができるとともに、解放されているため野縁を差し入れるのが容易となり、野縁をランナーに取り付ける際の作業性が向上する。
【００２８】
また、ランナーＲ１によれば、屈曲加工部Ｒ１３の円筒状の外周面が、野縁Ｎ１の長手方向の端部の高さに所定の遊び間隔を加えた距離を置いて下辺部Ｒ１１と離間しているので、屈曲加工部Ｒ１３の円筒状の曲面形状により、野縁Ｎ１の長手方向の端部を案内して野縁Ｎ１を差し入れるのが容易であるとともに、後述の天井材Ｂ１を野縁Ｎ１にビス止めする際に、野縁Ｎ１の端部の上面を屈曲加工部Ｒ１３の円筒外周面で掛け止めて、ビスを上方へ打ち込む際の反力を得ることができる。このため、さらに野縁をランナーに取り付ける際の作業性が向上する。
【００２９】
＜軽量鉄骨天井構造＞
次に、図３を用いて、本発明の一実施形態である第１実施形態に係る軽量鉄骨天井構造について説明する。軽量鉄骨天井構造Ｔ１は、水平方向を長手方向として内壁に取り付けられる前述の第１実施形態に係る複数のランナーＲ１と、これらのランナーＲ１間に架け渡される複数の野縁Ｎ１と、これらの野縁Ｎ１にビス等で取り付けられる複数の天井材Ｂ１などから構成されている。
【００３０】
（野縁）
この野縁Ｎ１は、亜鉛溶融めっき鋼板から断面長方形状に折曲加工された長尺材である、いわゆる角スタッドであり、長手方向の弱軸の曲げ剛性を向上させるために、鉛直断面の上下の長辺部にコルゲート加工が施されている（図１参照）。
【００３１】
勿論、野縁Ｎ１は、めっきされていない通常の鋼板から構成されていても良いし、野縁Ｎ１が、耐候性鋼やステンレス鋼から構成されていても構わない。また、野縁は、図１０に示したシングルバーやダブルバーであっても構わないし、角パイプのような部材であっても構わない。要するに、野縁は、後述の天井材を貼り付けることができる一定の幅と、一定のスパン天井材や自重を支えられる、所定の曲げ剛性を有した長尺材で、断面形状が、前述のランナーＲ１に嵌め込むことができるものであれば良い。
【００３２】
（天井材）
天井材Ｂ１は、火災時の難燃性（不燃性）を考慮して石膏ボードを基体とするボード材（板材）であり、下地材Ｂ１１と化粧材Ｂ１２の２層構造からなる。勿論、天井材Ｂ１は、１層構造でも良く、素材等や外観等も、設計に応じた面材が適宜選択されれば良い。
【００３３】
以上説明した軽量鉄骨天井構造Ｔ１によれば、ランナーＲ１の屈曲加工部Ｒ１３が、下辺部Ｒ１１と所定の間隔をおいて、円筒状に曲面加工されているので、従来の上辺部が無くなって狭かった天井用ランナーの上辺部と下辺部との間が解放されており、ランナーに野縁を差し入れる際に回し入れるようなことしなくてもよくなる。その上、屈曲加工部Ｒ１３円筒状の曲面で野縁Ｎ１の長手方向の端部を案内して、野縁Ｎ１をランナーＲ１に差し込む作業が容易である。また、屈曲加工部Ｒ１３により、天井材Ｂ１を野縁Ｎ１にビス止めする際に、野縁Ｎ１の端部の上面を屈曲加工部Ｒ１３の円筒外周面で掛け止めて、ビスを上方へ打ち込む際の反力を得ることができる。このため、軽量鉄骨天井を組み立てる際の作業性が向上する。
【００３４】
その上、軽量鉄骨天井構造Ｔ１によれば、曲げ剛性を確保しつつランナーＲ１の上辺部を廃して部材の軽量化することができ、ひいては、ランナーＲ１部材単価を低減することができる。要するに、軽量鉄骨天井構造Ｔ１によれば、軽量鉄骨天井の組立作業の作業効率が向上するとともに、製品単価を低減することができるため、軽量鉄骨天井の施工費用（設置費用）を低減することができる。
【００３５】
［第２実施形態］
次に、図４、図５を用いて、本発明の一実施形態である第２実施形態に係る天井用ランナーであるランナーＲ２について説明する。第２実施形態に係るランナーＲ２が、第１実施形態に係るランナーＲ１と相違する点は、屈曲加工部の形状だけであるので、同一構成は、同一符号を付し、説明を省略する。また、ランナーＲ２を用いた第２実施形態に係る軽量鉄骨天井構造についても、ランナーＲ２を除く構成は、前述の軽量鉄骨天井構造Ｔ１ほとんど同じであるため説明を省略する。
【００３６】
本実施形態に係るランナーＲ２は、図４、図５に示すように、前述の下辺部Ｒ１１と同形の下辺部Ｒ２１と、前述の側辺部Ｒ１２と同形の側辺部Ｒ２２と、この側辺部Ｒ２２の上端と長手方向に沿って連続し、そこから下辺部Ｒ２１と所定間隔を置いて横方向へ突出する屈曲加工部Ｒ２３と、を備えており、この屈曲加工部Ｒ２３の野縁Ｎ１の長手方向端部と当接する部分が、長手方向に沿って連続的に半円筒状にロール加工により曲面加工されていることを特徴としている。
【００３７】
この屈曲加工部Ｒ１３の半円筒状の形状は、正確には、側辺部Ｒ２２の上端から鉛直断面において水平に伸びた後、半円筒状に半回転し、その後内壁に向けて水平に伸びた横Ｕ字状となっており、屈曲加工部Ｒ１３と同様に、側辺部Ｒ２２の上端部分の曲げ剛性を補って、ランナー全体の剛性を高めるとともに、ランナーＲ２に差し込まれる野縁Ｎ１の長手方向の端部を係止する機能を有している。また、下辺部Ｒ２１と、屈曲加工部Ｒ２３との離間距離は、野縁Ｎ１の長手方向の端部の高さに所定の遊び間隔を加えた距離となっている。
【００３８】
このように構成されたランナーＲ２によれば、屈曲加工部Ｒ２３の野縁Ｎ１の長手方向端部と当接する部分が半円筒状となっているので、剛性を確保したまま、狭くて野縁を差し入れるのが困難であった断面コの字状の開口端を形成する上辺部を無くして、ランナー全体の重量を低減することができるとともに、解放されているため野縁を差し入れるのが容易となり、野縁をランナーに取り付ける際の作業性が向上する。
【００３９】
また、ランナーＲ２によれば、屈曲加工部Ｒ２３の半円筒状の外周面が、野縁Ｎ１の長手方向の端部の高さに所定の遊び間隔を加えた距離を置いて下辺部Ｒ２１と離間しているので、屈曲加工部Ｒ２３の半円筒状の曲面形状により、野縁Ｎ１の長手方向端部を案内して差し入れるのが容易であるとともに、天井材Ｂ１を野縁Ｎ１にビス止めする際に、野縁の該端部の上面を屈曲加工部Ｒ２３の円筒外周面で掛け止めて、ビスを上方へ打ち込む際の反力を得ることができる。このため、さらに野縁をランナーに取り付ける際の作業性が向上する。
【００４０】
［第３実施形態］
次に、図６、図７を用いて、本発明の一実施形態である第３実施形態に係る天井用ランナーであるランナーＲ３について説明する。第３実施形態に係るランナーＲ３が、第１実施形態に係るランナーＲ１と相違する点は、下辺部の形状だけであるので、同一構成は、同一符号を付し、説明を省略する。また、ランナーＲ３を用いた第３実施形態に係る軽量鉄骨天井構造についても、ランナーＲ３を除く構成は、前述のほとんど同じであるため説明を省略する。
【００４１】
本実施形態に係るランナーＲ３は、図６、図７に示すように、前述の下辺部Ｒ１１と同材からエンボス加工が施された水平方向に延びる略平板状の下辺部Ｒ３１と、前述の側辺部Ｒ１２と同形の側辺部Ｒ２２と、前述の屈曲加工部１３と同様の屈曲加工部３３と、を備えており、この下辺部Ｒ３１に、長手方向に沿った３本の長方形状のエンボス加工部３１ａが形成されているとともに、下辺部Ｒ３１の長手方向に沿った端部に、折り曲げられた折曲部３１ｂが形成されていることを特徴としている。
【００４２】
このエンボス加工部３１ａは、プレス加工により形成され、下辺部Ｒ３１の平板状の着材から設置状態で上方に突出する長方形状の凸部であり、下辺部Ｒ３１の曲げ剛性を高める機能を有している。また、下辺部Ｒ３１と屈曲加工部Ｒ３３との離間距離、即ち、エンボス加工部３１ａから屈曲加工部３３までの離間距離が、野縁Ｎ１の長手方向の端部の高さに所定の遊び間隔を加えた距離となっている。
【００４３】
また、折曲部３１ｂは、長手方向に沿った解放端を二つ折に折り曲げることにより、側辺部Ｒ３２を背に下辺部Ｒ３１の解放端が外側となるような曲げ応力に対して、断面２次モーメントを大きくして、効果的に曲げ剛性を高める機能を有しており、結果的に、ランナーＲ３の曲げ剛性を向上させることができる。
【００４４】
このように構成されたランナーＲ３によれば、プレス加工によりエンボス加工部３１ａが形成されているため、前述のＲ１の奏する作用効果に加え、重量を増加することなく、ランナーＲ３の曲げ剛性、特に、下辺部Ｒ３１の曲げ剛性を高くすることができる。このため、ランナーＲ３を内壁に取り付けた際の下辺部Ｒ３１の水平度が高く、野縁の端部を挿入し易く、さらに野縁をランナーに取り付ける際の作業性が向上する。そのうえ、ランナーＲ３によれば、下辺部Ｒ３１の曲げ剛性が高いため、天井材をランナーＲ３の下辺部Ｒ３１にビス止めする際にも作業性が向上する。
【００４５】
［第４実施形態］
次に、図８、図９を用いて、本発明の一実施形態である第４実施形態に係る天井用ランナーであるランナーＲ４について説明する。第４実施形態に係るランナーＲ４が、第１実施形態に係るランナーＲ１と相違する点は、寸法及び形状だけで材質等は同じ構成であるので、同一構成は、同一符号を付し、説明を省略する。また、ランナーＲ４を用いた第４実施形態に係る軽量鉄骨天井構造についても、ランナーＲ４を除く構成は、前述のほとんど同じであるため詳しい説明を省略するが、屈曲加工部と下辺部との離間距離が小さくなっている分、野縁の高さ寸法だけが、前述の野縁Ｎ１より低く（小さく）なった野縁Ｎ２となっている。
【００４６】
本実施形態に係るランナーＲ４は、図８、図９に示すように、鉛直断面において、横方向に延伸する平板状の下辺部Ｒ４１と、この下辺部Ｒ４１の長手方向に沿って連続し、そこから上方へ延伸する平板状の側辺部Ｒ４２と、この側辺部Ｒ４２の上端と長手方向に沿って連続し、そこから下辺部Ｒ４１と所定間隔を置いて横方向へ突出する屈曲加工部Ｒ４３と、を備えており、この屈曲加工部Ｒ４３が、長手方向に沿って連続的に円筒状にロール加工により曲面加工されている。
【００４７】
また、下辺部Ｒ４１、側辺部Ｒ４２は、前述の下辺部Ｒ１１、側辺部Ｒ１２より、それぞれ、鉛直断面において短くなっているが、屈曲加工部Ｒ４３の円筒状の曲面の曲率半径は、前述の屈曲加工部Ｒ１３より大きくなっている。
【００４８】
この下辺部Ｒ４１には、基材から上方に突出する長方形状の複数のエンボス加工部４１ａがプレス加工により形成されているとともに、下辺部Ｒ４１の長手方向に沿った端部に、折り曲げられた折曲部４１ｂが形成されている。
【００４９】
その上、本実施形態に係る側辺部Ｒ４２には、基材から奥行方向（Ｙ方向）に突出するエンボス加工部４２ａがプレス加工により形成されている。このエンボス加工部４２ａにより突出した分だけ、少なくとも、本実施形態に係る屈曲加工部Ｒ４３の円筒状の曲面の曲率は半径が大きくなり、野縁Ｎ２の端部の引っ掛かり代を取っている。但し、この屈曲加工部Ｒ４３の円筒状の半径を大きくし過ぎると、ランナーの上辺部の重量削減効果が減少するため好ましくない。
【００５０】
このように構成されたランナーＲ４によれば、プレス加工によりエンボス加工部４１ａ、エンボス加工部４２ａが形成されているため、重量を増加することなく、下辺部４１、側辺部４２の曲げ剛性を向上させることができる。つまり、前述のランナーＲ３よりさらに曲げ剛性を向上させることができる。このため、ランナーＲ４を内壁に取り付ける際の下辺部Ｒ４１及び側辺部４２の水平度が高く、野縁の端部を挿入し易くだけでなく、ランナーＲ４を内壁に取り付ける作業の作業性が向上する。そのうえ、ランナーＲ４によれば、下辺部Ｒ４１の曲げ剛性が高いため、天井材をランナーＲ４の下辺部Ｒ４１にビス止めする際にも作業性が向上する。
【００５１】
以上、本発明の実施形態について詳細に説明したが、前述した実施形態は、いずれも本発明を実施するにあたっての具体例を示したものに過ぎず、これらによって本発明の技術的範囲が限定的に解釈されてはならないものである。特に、上辺部に形成された曲面の曲率や側辺部、下辺部の奥行や水平幅などは、前述又は図示した形態に限られず、嵌め込む野縁の寸法や吊りボルトからの支持の有無等に応じて適宜設定すれば良いことは云うまでもない。また、屈曲加工部の曲面の曲率も一定ではなく、変化しても構わない。
【００５２】
なお、ランナーに嵌め込む部材を野縁と呼称したが、野縁を、床材を貼り付ける根太になぞらえて天井根太と称することもある。しかし、云うまでもなく、実質同じものを指している。また、いわゆるブリッジ工法による軽量鉄骨構造を例示して説明したが、背景技術で述べたＴ字工法による軽量鉄骨天井構造であっても構わない。その場合でも、前記実施形態で述べた作用効果を奏することは明らかである。
【符号の説明】
【００５３】
Ｒ１、Ｒ２、Ｒ３、Ｒ４              ：ランナー（天井用ランナー）
Ｒ１１、Ｒ２１、Ｒ３１、Ｒ４１      ：下辺部
Ｒ３１ａ、Ｒ４１ａ                  ：エンボス加工部
Ｒ３１ｂ、Ｒ４１ｂ                  ：折曲部
Ｒ１２、Ｒ２２、Ｒ３２、Ｒ４２      ：側辺部
Ｒ４２ａ                            ：エンボス加工部
Ｒ１３、Ｒ２３、Ｒ３３、Ｒ４３      ：屈曲加工部
Ｎ１、Ｎ２                          ：野縁
Ｂ１                                ：天井材
Ｂ１１                              ：下地材
Ｂ１２                              ：化粧材
【図１】
0006510778.tif 000002
【図２】
0006510778.tif 000003
【図３】
0006510778.tif 000004
【図４】
0006510778.tif 000005
【図５】
0006510778.tif 000006
【図６】
0006510778.tif 000007
【図７】
0006510778.tif 000008
【図８】
0006510778.tif 000009
【図９】
0006510778.tif 000010
【図１０】
0006510778.tif 000011